(57)【特許請求の範囲】
【請求項１】
無線ネットワークノード（３０４、７０、８０）と通信するための無線デバイス（３０２、９０、１００）における方法であって、前記無線ネットワークノードは免許が必要なスペクトラムで第１セルを提供し、免許不要なスペクトラムで第２セルを提供しており、前記方法は、
・前記第１セルのキャリア周波数情報に基づき、ディスカバリーシグナルの少なくとも一つの第１シーケンスを決定すること（５２、３０６）と、
・前記第２セルにおいて前記ディスカバリーシグナルの第２シーケンスを受信すること（５４、３１０）と、
・前記少なくとも一つの第１シーケンスと前記第２シーケンスとが整合しているかを判定すること（５６、３１２）と、を有する方法。
【請求項２】
請求項１に記載の方法であって、前記第１セルの前記キャリア周波数情報に依存した関数に基づき、前記ディスカバリーシグナルの前記少なくとも一つの第１シーケンスを決定すること（５２、３０６）を有する、方法。
【請求項３】
請求項１または２に記載の方法であって、前記第１セルの物理レイヤーセルアイデンティティ情報を受信することと、前記受信した第１セルの物理レイヤーセルアイデンティティ情報に基づいて前記ディスカバリーシグナルの前記少なくとも一つの第１シーケンスを決定すること（５２、３０６）とをさらに有する、方法。
【請求項４】
請求項１ないし３のいずれか一項に記載の方法であって、前記少なくとも一つの第１シーケンスと前記第２シーケンスとが整合しているかを判定すること（５６、３１２）は、前記少なくとも一つの第１シーケンスを前記第２シーケンスにマッピングすることを含む、方法。
【請求項５】
無線デバイス（３０２、９０、１００）と通信するための無線ネットワークノード（３０４、７０、８０）における方法であって、前記無線ネットワークノードは免許が必要なスペクトラムで第１セルを提供し、免許不要なスペクトラムで第２セルを提供しており、前記方法は、
・前記第１セルのキャリア周波数情報に基づき、前記無線デバイスのためのディスカバリーシグナルのシーケンスを決定すること（４２、３０８）と、
・前記免許不要なスペクトラムにおいて前記第２セルで前記ディスカバリーシグナルの前記シーケンスを送信すること（４４、３１０）と、を有する方法。
【請求項６】
請求項５に記載の方法であって、前記第１セルの前記キャリア周波数情報に依存した関数に基づき、前記ディスカバリーシグナルの前記シーケンスを決定すること（４２、３０８）を有する、方法。
【請求項７】
請求項５または６に記載の方法であって、前記第１セルの物理レイヤーセルアイデンティティ情報に基づき、前記無線デバイスのための前記ディスカバリーシグナルの前記シーケンスを決定すること（４２、３０８）を有する、方法。
【請求項８】
免許が必要なスペクトラムで第１セルを提供し、免許不要なスペクトラムで第２セルを提供する無線ネットワークノード（３０４、７０、８０）と通信するように適合した無線デバイス（３０２、９０）であって、前記無線デバイス（３０２、９０）は、受信機（９２）と処理ユニット（９４）とを有し、前記処理ユニット（９４）は、
・前記第１セルのキャリア周波数情報に基づき、ディスカバリーシグナルの少なくとも一つの第１シーケンスを決定し（５２、３０６）、
・前記受信機（９２）を介して、前記第２セルにおいて前記ディスカバリーシグナルの第２シーケンスを受信し（５４、３１０）、
・前記少なくとも一つの第１シーケンスと前記第２シーケンスとが整合しているかを判定する（５６、３１２）、ように適合している無線デバイス（３０２、９０）。
【請求項９】
請求項８に記載の無線デバイス（３０２、９０）であって、前記処理ユニット（９４）は、前記第１セルの前記キャリア周波数情報に依存した関数に基づき、前記ディスカバリーシグナルの前記少なくとも一つの第１シーケンスを決定する（５２、３０６）ようにさらに適合している、無線デバイス（３０２、９０）。
【請求項１０】
請求項８または９に記載の無線デバイス（３０２、９０）であって、前記処理ユニット（９４）は、前記受信機（９２）を介して前記第１セルの物理レイヤーセルアイデンティティ情報を受信するようにさらに適合しており、前記処理ユニット（９４）は、前記受信した第１セルの物理レイヤーセルアイデンティティ情報に基づいて前記ディスカバリーシグナルの前記少なくとも一つの第１シーケンスを決定する（５２、３０６）ようにさらに適合している、無線デバイス（３０２、９０）。
【請求項１１】
請求項８ないし１０のいずれか一項に記載の無線デバイス（３０２、９０）であって、前記処理ユニット（９４）は、さらに、前記少なくとも一つの第１シーケンスを前記第２シーケンスにマッピングするように適合している、無線デバイス（３０２、９０）。
【請求項１２】
無線デバイス（３０２、９０、１００）と通信するように適合した無線ネットワークノード（３０４、７０）であって、前記無線ネットワークノード（３０４、７０）は、送信機（７２）と処理ユニット（７４）とを有し、前記処理ユニットは、
・免許が必要なスペクトラムにおける第１セルのキャリア周波数情報に基づき、前記無線デバイスのためのディスカバリーシグナルのシーケンスを決定し（４２、３０８）、
・前記送信機（７２）を介して、免許不要なスペクトラムにおける第２セルで前記ディスカバリーシグナルの前記シーケンスを送信する（４４、３１０）ように適合している、無線ネットワークノード（３０４、７０）。
【請求項１３】
請求項１２に記載の無線ネットワークノード（３０４、７０）であって、前記処理ユニット（７４）は、前記第１セルの前記キャリア周波数情報に依存した関数に基づき、前記ディスカバリーシグナルの前記シーケンスを決定する（４２、３０８）ようにさらに適合している、無線ネットワークノード（３０４、７０）。
【請求項１４】
請求項１２または１３に記載の無線ネットワークノード（３０４、７０）であって、前記処理ユニット（７４）は、前記第１セルの物理レイヤーセルアイデンティティ情報に基づき、前記無線デバイスのための前記ディスカバリーシグナルの前記シーケンスを決定する（４２、３０８）ようにさらに適合している、無線ネットワークノード（３０４、７０）。
【請求項１５】
請求項１２ないし１４のいずれか一項に記載の無線ネットワークノード（３０４、７０）であって、プライマリーセル（ＰＣｅｌｌ）である前記第１セルを提供するように構成され、さらに、セカンダリーセル（ＳＣｅｌｌ）である前記第２セルを提供するように構成されている、無線ネットワークノード（３０４、７０）。
【請求項１６】
免許が必要なスペクトラムにおいて第１セルを提供し、免許不要なスペクトラムにおいて第２セルを提供する無線ネットワークノード（３０４、７０）を有するとともに、さらに無線デバイス（３０２、９０）を有するネットワークシステムにおける方法であって、前記方法は、
・前記無線ネットワークノード（３０４、７０）によって、前記第１セルのキャリア周波数情報に基づき、前記無線デバイスのためのディスカバリーシグナルのシーケンスを決定することと、
・前記無線ネットワークノード（３０４、７０）によって、前記免許不要なスペクトラムにおいて前記第２セルで前記ディスカバリーシグナルの前記シーケンスを送信することと、
・前記無線デバイス（３０２、９０）によって、前記第１セルのキャリア周波数情報に基づき、ディスカバリーシグナルの少なくとも一つの第１シーケンスを決定することと、
・前記無線デバイス（３０２、９０）によって、前記無線ネットワークノード（３０４、７０）から、前記第２セルにおいて前記ディスカバリーシグナルの第２シーケンスを受信することと、
・前記無線デバイス（３０２、９０）によって、前記少なくとも一つの第１シーケンスと前記第２シーケンスとが整合しているかを判定することと、を有する方法。
【発明の詳細な説明】
【技術分野】
【０００１】
本開示はアンライセンスド（免許不要）スペクトラムにおけるディスカバリーシグナル（探索信号）に関する。より具体的には、免許不要スペクトラムにおいて無線デバイスに無線ネットワークと通信できるようにする無線デバイス、無線ネットワークノード、ネットワークシステムおよびこれらによる方法に関する。
【背景技術】
【０００２】
無線デバイスの数が増加するにつれて、無線周波数スペクトラムにおけるリソース利用の増加が努力されてきた。
【０００３】
ロングタームエヴォリューション（ＬＴＥ）のために指定された、ライセンスド（免許が必要な）無線周波数スペクトラムは、免許不要の無線周波数スペクトラムと比較して、ネットワーク計画やサービス品質の保証の観点で多くの利点を提供している。免許が必要なスペクトラムの量は限られており、免許費用の観点から有料であり、多くの通信事業者は免許不要のスペクトラムを有効に利用し、これにより免許費用を不要とし、ＬＴＥネットワークの負荷を補完している。多くのケースではＩＥＥＥ８０２．１１ファミリーの技術をベースとしたＷｉＦｉはすでに使用されている技術である。ＷｉＦｉは免許不要のスペクトラムにアクセスするための手段を提供するが、モビリティのサポートやサービス品質の取り扱いなどについて、いくつかの欠点を有している。近年、免許不要スペクトラムにアクセスするためにＬＴＥを使用することへの興味が増加している。
【０００４】
無線デバイスが複数のコンポーネントキャリアで受信したり、送信したりするキャリアアグリゲーションは、リリース１０以降でＬＴＥの一部となっている。ＬＴＥ規格によれば、コンポーネントキャリアはプライマーリセル（ＰＣｅｌｌ）とセカンダリーセル（ＳＣｅｌｌ）とに対応する。
【０００５】
無線デバイスの視点からは、ＰＣｅｌｌは一つだけであるが、ＳＣｅｌｌは一つ以上でありうる。クロスキャリアスケジューリングもサポートされており、このケースでは、たとえば、ＳＣｅｌｌなどの一つのキャリアに関連したダウンリンク割り当てとスケジューリンググラントが、たとえばＰＣｅｌｌなどの他のキャリア上で、（強化型）物理ダウンリンク制御チャネル（（Ｅ）ＰＤＣＣＨ）を使用して、送信される。同様に、ユーザ装置（ＵＥ）から発展型ＮｏｄｅＢ（ｅＮｏｄｅＢ）への物理アップリンク制御チャネル（ＰＵＣＣＨ）上でのアップリンク制御シグナリングは、それがＰＣｅｌｌまたはＰＣｅｌｌのどちらに関連したものであろうが、ＰＣｅｌｌ上で送信される。
【０００６】
ＬＴＥで免許不要スペクトラムにアクセスするための一つの可能性は、すでにＬＴＥの一部となっているキャリアアグリゲーションのフレームワーク上で構築することであり、その場合、ＰＣｅｌｌに関連したプライマリーキャリアは、免許が必要なスペクトラムで運用され、一方で、一つ以上のＳＣｅｌｌに対応した一つ以上のセカンダリーキャリアは免許不要スペクトラムで運用される。
【０００７】
ＰＣｅｌｌはモビリティプロシージャのすべてのために使用され、重要な制御シグナリングのすべてを取り扱うだけでなく、ユーザデータも取り扱い、一方で、一つ以上のＳＣｅｌｌはベストエフォートのユーザデータのために使用される。このアプローチは、ＬＴＥユーザに、モビリティとサービス品質のサポートを犠牲にすることなく、免許不要スペクトラムを有効活用させることができる。加えて、通信事業者は、一つのネットワークを取り扱うだけでよい。
【０００８】
キャリアアグリゲーションの代替案としては、現在、３ＧＰＰにおいて、複数のコンポーネントキャリアのために、開発が進められているデュアルコネクティビティフレームのワークがある。デュアルコネクティビティによれば、キャリアはそれぞれ異なる基地局に関連付けられている。免許が必要なスペクトラムや免許不要なスペクトラムに適用されるデュアルコネクティビティは、免許が必要なスペクトラムや免許不要なスペクトラムがそれぞれ異なるノードに実装されるため、自由度をもたらす。
【０００９】
これは、ＰＣｅｌｌとＳＣｅｌｌが同一のネットワークノードや基地局に同居しているキャリアアグリゲーションとは対照的である。
【００１０】
ＬＴＥの無線デバイスがＬＴＥの無線ネットワークノードと通信する前に、無線デバイスはＬＴＥネットワーク内のセルを発見してそれとの同期を獲得し、発見したセルの識別情報を判別しなければならない。このプロセスはセルサーチとして知られている。このプロセスにおいて無線デバイスをアシストするために、ＬＴＥは二つの信号を規定しており、これらはすべてのＬＴＥセルから送信される、プライマリー同期信号とセカンダリー同期信号（ＰＳＳとＳＳＳ）である。ＰＳＳ／ＳＳＳは５ｍｓごとに送信される。これらの信号を測定することで、無線デバイスは、そのセルについて時間と周波数の同期を確立できる。さらに、異なるセルは異なるシーケンスを使用しているため、無線デバイスは、対象となっているセルが使用しているシーケンスのセットにおいて、ＰＳＳとＳＳＳのシーケンスを観測することで、物理レイヤーセル識別情報を取得してもよい。セルとの同期が一度確立すると、無線デバイスは、システムにアクセスするために必須の情報を取得できるため、各セルによって送信されるシステム情報を受信できるようになる。システム情報は、いわゆるパブリック・ランド・モバイル・ネットワーク・アイデンティティ（ＰＬＭＮ  ＩＤ）を含み、これはセルが所属している通信事業者の識別情報であり、世界的に固有のものである。特定のセルで使用されるＰＳＳ／ＳＳＳのペアは、ネットワーク計画の一部として通信事業者によって決定される。ＬＴＥは免許が必要なスペクトラムで運用されるため、同一のセットのＰＳＳ／ＳＳＳのシーケンスのセットが複数の通信事業者によって使用さる可能性があるが、これは、複数の通信事業者が異なるキャリア周波数を割り当てられているからである。
【００１１】
免許不要スペクトラムにおいて運用するため、また、協調マルチポイント送受信（ＣｏＭＰ）のような他のエリアでのＬＴＥへの一般的な拡張の一部として、いわゆるディスカバリーシグナル（探索信号）が議論されている。
【００１２】
ディスカバリーシグナルは、送信ポイントや無線ネットワークノードから、たとえば、一秒間に数回など、あまり頻繁には送信されず、典型的には、直交周波数分割多重（ＯＦＤＭ）シンボルのシーケンス、または、シーケンスのセットである。ディスカバリーシグナルはＯＦＤＭシンボルのシーケンス上で送信される無変調のトーンを含んでいてもよい。
【００１３】
ディスカバリーシグナルをサーチすることによって、無線デバイスは、送信ポイントを発見し、たとえば、ネットワークの受信信号品質をレポートし、ネットワークがこの情報を使用して、当該送信ポイントが無線デバイスに対して送信するために利用されるべきかどうかを判定できる。
【００１４】
免許不要スペクトラムにおける運用では、免許不要スペクトラムにおいて送信する各無線ネットワークノードは、ディスカバリーシグナルも送信することになる。観測されたディスカバリーシグナルでの無線デバイスの測定結果に基づいて、無線ネットワークノードは、免許不要スペクトラムで運用されているＳＣｅｌｌからの送信を無線デバイスが受信すべきかどうかを決定してもよい。
【００１５】
無線ネットワークノードは無線デバイスを設定し、特定のセットのディスカバリーシグナルをサーチさせてもよい。あるいは、無線デバイスは、サーチ対象のディスカバリーシグナルのサブセットについて無線ネットワークノードから情報を受信することなく、ディスカバリーシグナルの全セットをサーチする。ディスカバリーシグナルを検知すると、無線デバイスは、自己が接続しているセルに対して信号品質をレポートし、その後、無線ネットワークノードがこの情報に基づいて何らかの望ましいアクションを実行する。
【００１６】
ＬＴＥにおける送信は完全にスケジュールされており、すなわち、ｅＮｏｄｅＢのような無線ネットワークノードは、ＵＥのような無線デバイスがいつ、どのリソースで送信を行うべきかを制御している。
【００１７】
図１はＵＥ１２がｅＮｏｄｅＢ１４によってサービスを提供されているネットワーク１６の図解を提供している。
【００１８】
ＬＴＥとは対照的に、ＷｉＦｉでの送信はスケジュールされず、自律的に処理される。
【００１９】
図２はＷｉＦｉの送信方式を示し、スケジュール化されていない送信を試行している第１ノード２０と第２ノード２２とを図示している。第１ノード２０が送信すべきデータを持っているときに、第１ノード２０は、たとえば、２０マイクロ秒（ｕｓ）など所定時間にわたりチャネルのアクティビティをリッスンし、チャネルが送信のために利用可能かどうかを評価する。第２ノード２２は第１ノード２０のリスニング期間においては何のデータも送信しないため、第１ノード２０は、チャネルが送信のために利用可能かどうかを評価し、そのチャネルでの送信を開始しうる。
【００２０】
第２ノード２２が、第１ノード２０による送信中にチャネルの利用可能性を評価すれば、第２ノード２２は、そのチャネルはアップリンク送信のために利用可能ではないと評価する。第２ノード２２は「バックオフ期間」にわたり時間的に待機し、その後、チャネルの利用可能性を再度評価する。第１ノード２０はこの時間中は何のデータも送信しないため、第２ノード２２は送信のためにチャネルが利用可能であると宣言し、その後、アップリングデータを送信できる。
【００２１】
図２において示されたような方式は、ノードがチャネルで送信、つまり、トークを行う前にチャネルをリッスンして利用可能性を評価しなければならないため、リッスンビフォアトーク（ＬＢＴ）と呼ばれている。ＬＢＴを使用することで、ＷｉＦｉデバイスは、他の複数のＷｉＦｉノードとの間でスペクトラムを共有することが可能となる。さらに、ＬＢＴにより、ＷｉＦｉデバイスは非ＷｉＦｉデバイスともスペクトラムを共有することが可能となる。
【００２２】
いくつかのバンドや領域ではＬＢＴや類似の方式について規制上の要件が設けられていることがありうる。
【００２３】
ＳＣｅｌｌで免許不要スペクトラムへアクセスできるようにＬＴＥを拡張するときに、それは有用であり、ＬＢＴをサポートするための要件になるかもしれない。ダウンリンクにおいて、ｅＮｏｄｅＢはサブフレームを開始するのに先立ってチャネルをリッスンし、当該チャネルが利用可能であると宣言されれば、リッスン期間に続くサブフレームにデータの送信をスケジュールしてもよい。
【００２４】
同様の原理はアップリンクに適用されてもよい。ＵＥが利用可能なチャネルを発見すると、ＵＥはｅＮｏｄｅＢからのスケジューリンググラントにしたがってアップリンクで送信を実行するか、あるいは、ＵＥはアップリンクグラントを無視する。
【００２５】
好ましくは、ＳＣｅｌｌ内での送信はスケジューリングを通じて協調されるため、同一の免許不要ノードに接続するすべてのＵＥのためのＬＢＴ期間はオーバーラップする。他のノード（例：ＷｉＦｉ）が現在チャネルを使用しているときだけは、アップリンクの送信は避けられるべきであろう。
【００２６】
複数の通信事業者は同一の免許不要スペクトラムを使用しうる。他のいくつかの通信事業者間協調メカニズムが使用されなければ、このケースでは、異なる通信事業者間でＬＢＴ期間が好ましくオーバーラップしなくなってしまうが、これは異なる通信事業者間でスケジューリング協調ができないからである。一つの通信事業者の視点からは、免許不要スペクトラムでＬＴＥを使用している他の通信事業者は、免許不要スペクトラムにおいてＷｉＦｉを使用している他の通信事業とは異なっていない。同様の問題は同一の通信事業者に所属している異なるノードについても生じ、これは、これらのノードが厳密に協調されていない場合に起こる。
【００２７】
免許不要スペクトラムでは、免許不要スペクトラムにおけるディスカバリーシグナルのシーケンスを決定することはネットワーク計画に依拠することができず、なぜなら、複数の通信事業者が同一の規格を使用しうるからであり、それゆえに同一のスペクトラムにおいて潜在的なシーケンスの同一のセットの全体を使用してしまう。これは、所与の地理的なエリアにおいては単一の通信事業者だけが各周波数に存在するといった、免許が必要なスペクトラムでのセル計画のためのＰＳＳ／ＳＳＳの伝統的な設定とは対照的である。
【００２８】
また、特定のネットワークノードにおいて使用するためにディスカバリーシグナルのシーケンスを、グローバルで固有なＰＬＭＮ  ＩＤにリンクしてしまうことは、良いアイデアではなく、なぜなら、潜在的なＰＬＭＮ  ＩＤの数が非常に大きいため、潜在的なシーケンスのセットが非常に大きくなってしまう。
【００２９】
ゆえに、上述したこれらの問題に着目した解決策が必要とされている。
【発明の概要】
【課題を解決するための手段】
【００３０】
例示的実施形態の目的は上述した少なくともいくつかの問題に着目することであり、この目的や他の目的は、添付の独立項にしたがった無線デバイス、無線ネットワークノードおよびこれらによる方法によって達成されるとともに、従属項にしたがった例示的実施形態のうちのある実施形態によって達成される。
【００３１】
ある観点によれば、例示的実施形態は無線ネットワークノードと通信するための無線デバイスにおける方法を提供する。本方法において、無線ネットワークノードは免許が必要なスペクトラムにおいて第１セルを提供し、免許不要なスペクトラムにおいて第２セルを提供する。本方法は、第１セルのキャリア周波数情報に基づき、ディスカバリーシグナルの、少なくとも一つの第１シーケンスを決定することを有する。本方法は、また、第２セルにおいて当該ディスカバリーシグナルの第２シーケンスを受信することを有する。さらに、本方法は、第１シーケンスの少なくとも一つと第２シーケンスとが整合しているかどうかを判定することを有する。
【００３２】
ある観点によれば、例示的実施形態は無線端末と通信するための無線ネットワークノードにおける方法を提供する。本方法において、無線ネットワークノードは免許が必要なスペクトラムにおいて第１セルを提供し、免許不要なスペクトラムにおいて第２セルを提供する。本方法は、第１セルのキャリア周波数情報に基づき、無線デバイスのためのディスカバリーシグナルの、少なくとも一つの第１シーケンスを決定することを有する。本方法は、また、第２セルにおいて当該ディスカバリーシグナルの第２シーケンスを送信することを有する。
【００３３】
他の観点によれば、例示的実施形態は無線ネットワークノードと通信するように適合した無線デバイスを提供する。無線デバイスは受信機と処理ユニットとを有する。処理ユニットは、第１セルのキャリア周波数情報に基づき、ディスカバリーシグナルの、少なくとも一つの第１シーケンスを決定するように適合している。処理ユニットは、さらに、受信機を介して、第２セルにおいてディスカバリーシグナルの第２シーケンスを受信するように適合している。さらに、処理ユニットは、第１シーケンスの少なくとも一つと第２シーケンスとが整合しているかどうかを判定するように適合している。
【００３４】
さらに他の観点によれば、例示的実施形態は無線デバイスと通信するように適合した無線ネットワークノードを提供する。無線ネットワークノードは送信機と処理ユニットとを有する。処理ユニットは、免許が必要なスペクトラムにおいて第１セルのキャリア周波数情報に基づき、無線デバイスのためのディスカバリーシグナルのシーケンスを決定するように適合している。さらに、処理ユニットは、送信機を介して、免許不要なスペクトラムにおいて第２セルでディスカバリーシグナルのシーケンスを送信するように適合している。
【００３５】
さらに他の観点によれば、例示的実施形態は、免許が必要なスペクトラムにおいて第１セルを提供し、免許不要なスペクトラムにおいて第２セルを提供する無線ネットワークノードを有するとともに、さらに無線デバイスを有するネットワークシステムにおける方法を提供し、本方法は、無線ネットワークノードによって第１セルのキャリア周波数情報に基づき無線デバイスのためのディスカバリーシグナルのシーケンスを決定することと、無線ネットワークノードによって免許不要なスペクトラムにおいて第２セルでディスカバリーシグナルのシーケンスを送信することと、無線デバイスによって第１セルのキャリア周波数情報に基づき、ディスカバリーシグナルの、少なくとも一つの第１シーケンスを決定することと、無線デバイスによって無線ネットワークノードから第２セルにおいてディスカバリーシグナルの第２シーケンスを受信することと、無線デバイスによって少なくとも一つの第１シーケンスが第２シーケンスと整合しているかどうかを判定することと、を有する。
【００３６】
例示的実施形態は、免許不要なスペクトラムにおいてディスカバリーシグナルを提供し、免許不要なスペクトラムにおけるディスカバリーシグナルが、無線デバイスの通信事業者に関連付けられているかどうかを無線デバイスが判定できるようにしている。
【図面の簡単な説明】
【００３７】
実施形態はさらに詳細にかつ添付の図面を参照しながら説明される。
【図１】通信ネットワークを図解する図。
【図２】従来技術におけるリソースの利用可能性チェックを図解する図。
【図３】例示的実施形態のうちのある実施形態にしたがったシグナリングのハンドシェイクダイアグラムを示す図。
【図４】例示的実施形態のうちのある実施形態にしたがった方法を示すフローチャート。
【図５】例示的実施形態のうちのある実施形態にしたがった方法を示すフローチャート。
【図６】例示的実施形態のうちのある実施形態にしたがった免許が必要なスペクトラムにおけるセル内での免許不要なスペクトラムにおけるセルを示す図。
【図７】例示的実施形態のうちのある実施形態にしたがった無線ネットワークノードを示す図。
【図８】例示的実施形態のうちのある実施形態にしたがった無線ネットワークノードを示す図。
【図９】例示的実施形態のうちのある実施形態にしたがった無線デバイスを示す図。
【図１０】例示的実施形態のうちのある実施形態にしたがった無線デバイスを示す図。
【発明を実施するための形態】
【００３８】
以下の説明では、例示的実施形態における異なる実施形態が添付の図面を参照しながらさらに詳細に説明される。限定する目的ではなく、説明目的のために、完全な理解を提供するための特定の例示や技術などが、説明される。
【００３９】
免許不要なスペクトラムにおけるディスカバリーシグナルのシーケンスを決定することおよび使用することは、ネットワーク計画に依存することができない。なぜなら、複数の通信事業者は同一の規格を使用してもよいため、二つ以上の通信事業者によってディスカバリーシグナルのシーケンスの同一のセットが使用されてしまうといった結果を招きうる。
【００４０】
ゆえに、ディスカバリーシグナルのシーケンスが自己の通信事業者と関連付けられているかどうかを無線デバイスに判定可能ならしめるニーズが存在する。
【００４１】
通信事業者の、免許が必要なスペクトラムにおけるセルに対して固有な量に基づき、ディスカバリーシグナルのシーケンスを決定することによって、無線デバイスは、受信したディスカバリーシグナルのシーケンスが、自己の通信事業者からのシーケンスかどうかを判定してもよい。
【００４２】
以下で説明されるように、ディスカバリーシグナルのシーケンスを決定することは、免許が必要なスペクトラムにおけるセルの物理レイヤーセルアイデンティティ（ＩＤ）に基づいていてもよい。
【００４３】
図３は無線デバイス３０２と無線ネットワークノード３０４との間での通信を可能ならしめる、無線デバイス３０２と無線ネットワークノード３０４との間のシグナリングのハンドシェイクダイアグラムを示している。無線ネットワークノード３０４は免許が必要なスペクトラムにおいて第１セルを提供し、免許不要なスペクトラムにおいて第２セルを提供する。
【００４４】
３０６で、無線デバイス３０２は、第１セルのキャリア周波数情報に基づき、ディスカバリーシグナルの、少なくとも一つの第１シーケンスを決定する。無線デバイスは第１セルのキャリア周波数の事前知識を有している。
【００４５】
第１セルのキャリア周波数は通信事業者に固有であるため、少なくとも一つの第１シーケンスは無線デバイスの通信事業者に関連付けられている。一つ以上の第１シーケンスを決定することによって、無線デバイスは、当該通信事業者と関連付けられているディスカバリーシグナルの、潜在的な一つ以上のシーケンスを決定する。
【００４６】
３０８で、無線ネットワークノード３０４は、第１セルのキャリア周波数情報に基づき、無線デバイスのためのディスカバリーシグナルのシーケンスを決定する。無線ネットワークノードによって決定されたシーケンスは、図３において、「第２」と示されている。
【００４７】
３１０で、無線ネットワークノード３０４は、免許不要なスペクトラムにおける第２セルでディスカバリーシグナルの第２シーケンスを送信する。
【００４８】
３１２で、無線デバイス３０２は、第１シーケンスの少なくとも一つと第２シーケンスとが整合しているかどうかを判定する。つまり、無線デバイスは、いずれかの潜在的な第１シーケンスが、無線ネットワークノードから受信した第２シーケンスと整合するかを判定する。よって、無線デバイスは、免許不要なスペクトラムにおける第１シーケンスを決定してもよく、ここで第１シーケンスは免許が必要なスペクトラムにおける第１セルの通信事業者に関連付けられている。
【００４９】
図４は、無線デバイスと通信するための無線ネットワークノードにおける方法を示すフローチャートである。本方法において、無線ネットワークノードは免許が必要なスペクトラムにおいて第１セルを提供し、免許不要なスペクトラムにおいて第２セルを提供する。本方法は、第１セルのキャリア周波数情報に基づき、無線デバイスのためのディスカバリーシグナルのシーケンスを決定すること４２を有する。本方法は、また、第２セルにおいて当該ディスカバリーシグナルの第２シーケンスを送信すること４４を有する。
【００５０】
無線ネットワークノードにおける方法内で、ディスカバリーシグナルのシーケンスを決定すること４２は、第１セルのキャリア周波数情報に依存した関数に基づいていてもよい。
【００５１】
無線ネットワークノードにおける方法内で、ディスカバリーシグナルのシーケンスを決定すること４２は、第１セルの物理レイヤーセルアイデンティティ情報に基づいていてもよい。
【００５２】
図５は、無線ネットワークノードと通信するための無線デバイスにおける方法を示すフローチャートである。本方法において、無線ネットワークノードは免許が必要なスペクトラムにおいて第１セルを提供し、免許不要なスペクトラムにおいて第２セルを提供する。本方法は、第１セルのキャリア周波数情報に基づき、ディスカバリーシグナルの、少なくとも一つの第１シーケンスを決定すること５２を有する。本方法は、また、第２セルにおいて当該ディスカバリーシグナルの第２シーケンスを受信すること５４を有する。さらに、本方法は、第１シーケンスの少なくとも一つと第２シーケンスとが整合しているかどうかを判定すること５６を有する。
【００５３】
無線デバイスにおける方法内で、ディスカバリーシグナルの、少なくとも一つの第１シーケンスを決定すること５２は、第１セルのキャリア周波数情報に依存した関数に基づいていてもよい。関数の一例は、二つの列を有する二次元テーブルであり、一つの列がＰＣｅｌｌの周波数情報を有し、他の列が以下で説明するようなディスカバリーシグナルのシーケンス情報に対応している。そのような関数のために、各ＰＣｅｌｌ周波数情報について、使用されるディスカバリーシグナルのシーケンスのリストが定義されていてもよい。関数の他の一例は、ディスカバリーシグナルのインデックスを次のように定義してもよい。“ディスカバリーシグナルインデックス＝ＰＣｅｌｌ周波数  ｍｏｄ  Ｎ”。ここで、ｍｏｄはモジューロ演算を意味し、Ｎは潜在的なディスカバリーシグナルの数または潜在的なディスカバリーシグナルシーケンスの数である。
【００５４】
無線デバイスにおける本方法は、さらに、第１セルの物理レイヤーセルアイデンティティ情報を受信することを有し、ディスカバリーシグナルの、少なくとも一つの第１シーケンスを決定すること５２は、受信した第１セルの物理レイヤーセルアイデンティティ情報に基づいていてもよい。
【００５５】
無線デバイスにおける方法で、少なくとも一つの第１シーケンスが第２シーケンスと整合しているかどうかを判定すること５６は、少なくとも一つの第１シーケンスを第２シーケンスにマッピングすることを有していてもよい。
【００５６】
免許不要なスペクトラムで動作している所与の第２セルが使用すべき、ディスカバリーシグナルのシーケンスまたは複数のシーケンスの決定は、免許が必要なスペクトラムの第１セルのクオンティティ（量）を入力とする関数に基づいていてもよく、ここで当該量は通信事業者間で異なっている。たとえば、使用すべきディスカバリーシグナルは第１セルだけのキャリア周波数に基づいていてもよいし、第１セルのキャリア周波数と第１セルの物理レイヤーセルＩＤとに基づいていてもよい。
【００５７】
これらの二つの案は、同一の免許不要なスペクトラムを使用する異なる通信事業者が異なるディスカバリーシグナルを割り当てられうることを可能としている。
【００５８】
潜在的なディスカバリーシグナルのシーケンスのセットを組織化するための一つの可能性は、各グループが一つ以上のシグナルを含むように、これらを複数のグループに分割することである。特定のノードによって送信されるディスカバリーシグナルのシーケンスはＣｉｊと表され、ここで、ｉはグループ番号であり、ｊはｉ番目のグループにおけるシーケンスの番号である。番号ｉは上述したように通信事業者間で異なる量の関数として決定される。ｉ番目のグループに二つ以上のディスカバリーシグナルのシーケンスが存在する場合、番号ｊは通信事業者によって自由に選択されてもよい。
【００５９】
【表１】
0006275262.tif 000002
【００６０】
表１：ディスカバリーシグナルのシーケンスの潜在的なグループ化の一例
ディスカバリーシグナルの選択に物理レイヤーセルアイデンティティを含めることは、免許不要なスペクトラムを使用するセルと、免許が必要なスペクトラムにおける複数の他のセルとが多少なりともオーバーラップ（重複）しているときに、有用であろう。
図６は、例示的実施形態のうちのある実施形態にしたがった免許が必要なスペクトラムにおける他のセルと免許不要なスペクトラムにおけるセルとの一例を示している。
図６によれば、ディスカバリーシグナルシーケンスＣｋｒを有しているセル６１０は、免許が必要なセルＡ６０２とともにアグリゲーションにおいて使用され、セルＡ６０２は免許が必要なセルＢ６０４と一部分でオーバーラップしている。ディスカバリーシグナルシーケンスＣｋｒがセルＢ６０４とのアグリゲーションにおいて動作しているセルによっても使用されている場合、ネットワークは、免許不要なセル６１０がキャリアアグリゲーションのセットアップにおいて含まれるべきではないケースと、含まれるべきケースとを区別できない。
【００６１】
ディスカバリーシグナルの選択を免許が必要なスペクトラムにおけるセルのキャリア周波数に対して基づかせることは、不十分となりうる。ディスカバリーシグナルの選択をＰＬＭＮ  ＩＤだけに基づかせることも、十分ではないかもしれない。
【００６２】
よって、ディスカバリーシグナルの選択は、さらに、第２セルがアグリゲートされうる免許が必要なスペクトラムにおけるセルの物理レイヤーセルアイデンティティに基づかせてもよい。
【００６３】
通信事業者が、免許が必要な同一のセルとアグリゲーションについて動作している免許不要なセルの複数のノードを有している場合に、グループ内の複数のシーケンスは有用である。図６において、一例はセル６０６、６０８であり、これらはディスカバリーシグナルＣｋｐとＣｋｑをそれぞれ有している。他の例はセル６１２、６１４であり、これらは免許が必要なセルＢ６０４とアグリゲーションで動作しており、それぞれディスカバリーシグナルシーケンスＣｍｐ、Ｃｍｑを有している。
【００６４】
図７は無線デバイスと通信するための無線ネットワークノード７０を示している。無線ネットワークノード７０は送信機７２と処理ユニット７４とを有する。処理ユニットは、免許が必要なスペクトラムにおいて第１セルのキャリア周波数情報に基づき、無線デバイスのためのディスカバリーシグナルのシーケンスを決定する（４２）ように適合している。さらに、処理ユニット７４は、送信機７２を介して、免許不要なスペクトラムにおいて第２セルでディスカバリーシグナルのシーケンスを送信する（４４）ように適合している。
【００６５】
無線ネットワークノード７０の処理ユニット７４は、プロセッサとメモリを有してもよく、当該メモリは当該プロセッサによって実行可能なインストラクションを含んでいる。
【００６６】
無線ネットワークノード７０の処理ユニット７４は、さらに、第１セルのキャリア周波数情報に依存した関数に基づき、ディスカバリーシグナルのシーケンスを決定する（４２）ように適合していてもよい。
【００６７】
無線ネットワークノード７０の処理ユニット７４は、さらに、第１セルの物理レイヤーセルアイデンティティに基づき、ディスカバリーシグナルのシーケンスを決定する（４２）ように適合していてもよい。
【００６８】
無線ネットワークノード７０は、プライマリーセル（ＰＣｅｌｌ）である第１セルを提供するように構成され、セカンダリーセル（ＳＣｅｌｌ）である第２セルを提供するように構成されていてもよい。
【００６９】
無線ネットワークノード７０は、ｅＮｏｄｅＢを有していてもよい。
【００７０】
図８は無線デバイスと通信するための無線ネットワークノード８０を示している。無線ネットワークノード８０は決定手段８２と送信手段８４とを有する。決定手段８２は、免許が必要なスペクトラムにおいて第１セルのキャリア周波数情報に基づき、無線デバイスのためのディスカバリーシグナルのシーケンスを決定する（４２）ように適合している。送信手段８４は、免許不要なスペクトラムにおいて第２セルでディスカバリーシグナルのシーケンスを送信する（４４）ように適合している。
【００７１】
図９は無線ネットワークノード７０、８０と通信するように適合した無線デバイス９０を示している。無線デバイス９０は受信機９２と処理ユニット９４とを有する。処理ユニット９４は、第１セルのキャリア周波数情報に基づき、ディスカバリーシグナルの、少なくとも一つの第１シーケンスを決定する（５２）ように適合している。処理ユニット９４は、さらに、受信機９２を介して、第２セルにおいてディスカバリーシグナルの第２シーケンスを受信する（５４）ように適合している。さらに、処理ユニット９４は、第１シーケンスの少なくとも一つと第２シーケンスとが整合しているかどうかを判定する（５６）ように適合している。
【００７２】
無線デバイス９０の処理ユニット９４は、プロセッサとメモリを有してもよく、当該メモリは当該プロセッサによって実行可能なインストラクションを含んでいる。
【００７３】
無線デバイス９０の処理ユニット９４は、さらに、第１セルのキャリア周波数情報に依存した関数に基づき、ディスカバリーシグナルの少なくとも一つの第１シーケンスを決定する（５２）ように適合していてもよい。
【００７４】
無線デバイス９０の処理ユニット９４は、さらに、受信機９２を介して、第１セルの物理レイヤーセルアイデンティティ情報を受信するように適合していてもよい。処理ユニット９４は、さらに、受信した、第１セルの物理レイヤーセルアイデンティティ情報に基づき、ディスカバリーシグナルの少なくとも一つの第１シーケンスを決定する（５２）ように適合していてもよい。
【００７５】
無線デバイス９０の処理ユニット９４は、さらに、少なくとも一つの第１シーケンスを第２シーケンスにマッピングしてもよい。
【００７６】
無線デバイスはＵＥを含んでもよい。
【００７７】
図１０は無線ネットワークノード７０、８０と通信するように適合した無線デバイス１００を示している。無線デバイス１００は決定手段１０２と受信手段１０４とを有する。決定手段１０２は、第１セルのキャリア周波数情報に基づき、ディスカバリーシグナルの、少なくとも一つの第１シーケンスを決定する（５２）ように適合している。受信手段１０４は、さらに、第２セルにおけるディスカバリーシグナルの第２シーケンスを受信する（５４）ように適合している。さらに、決定手段１０２は、第１シーケンスの少なくとも一つと第２シーケンスとが整合しているかどうかを判定する（５６）ように適合している。
【００７８】
ゆえに、例示的ないくつかの実施形態によれば、免許が必要なスペクトラムにおいて第１セルを提供し、免許不要なスペクトラムにおいて第２セルを提供する無線ネットワークノードを有するとともに、さらに無線デバイスを有するネットワークシステムにおける方法が提供され、本方法は、無線ネットワークノードによって第１セルのキャリア周波数情報に基づき無線デバイスのためのディスカバリーシグナルのシーケンスを決定することと、無線ネットワークノードによって免許不要なスペクトラムにおいて第２セルでディスカバリーシグナルのシーケンスを送信することと、無線デバイスによって第１セルのキャリア周波数情報に基づき、ディスカバリーシグナルの、少なくとも一つの第１シーケンスを決定することと、無線デバイスによって無線ネットワークノードから第２セルにおいてディスカバリーシグナルの第２シーケンスを受信することと、無線デバイスによって少なくとも一つの第１シーケンスが第２シーケンスと整合しているかどうかを判定することと、を有する。
【００７９】
ここでの実施形態は二つ以上のキャリアが存在するケースにも適用可能である。二つ以上のキャリアを使用するための二つの例示的なフレームワークは、キャリアアグリゲーションとデュアルコネクティビティである。
【００８０】
キャリアアグリゲーションはＬＴＥの重要な一部である。現在のＬＴＥ規格によれば、コンポーネントキャリアは、ＰＣｅｌｌ（プライマリーセル）と一つ以上のＳＣｅｌｌ（セカンダリーセル）とに対応している。
【００８１】
キャリアアグリゲーションによれば、ＰＣｅｌｌと一つ以上のＳＣｅｌｌは同一の無線ネットワークノードに同居している。
【００８２】
デュアルコネクティビティによれば、二つのキャリアは、別々の無線ネットワークノードに関連付けられている。
【００８３】
アンライセンスド（免許不要な）スペクトラムへのライセンスアシステッドアクセスのためのフレームワークとしてのデュアルコネクティビティのために、免許不要なスペクトラムで動作するノードは、送信されるディスカバリーシグナルが何であるかについての情報を、同一エリア内でライセンス度（免許が必要な）スペクトラムにおいて動作している無線ｅＮｏｄｅＢから、Ｘ２インタフェースを介して、受信してもよい。あるいは、シーケンスは、運用及びメンテナンス（Ｏ＆Ｍ）システムを通じて、通信事業者によって直接的に設定されてもよい。
【００８４】
キャリアアグリゲーションまたはデュアルコネクティビティは、免許不要なスペクトラムを有効活用するために組み合わされてもよい。キャリアアグリゲーションによれば、ＰＣｅｌｌは免許が必要なスペクトラムに対応し、一つ以上のＳＣｅｌｌは免許不要なスペクトラムに対応する。
【００８５】
デュアルコネクティビティを使用することで、ライセンスドアクセスとアンライセンスドアクセスとが異なるノードに実装されるようになるため、追加の自由度が提供される。
【００８６】
実施形態はキャリアアグリゲーションのフレームワークについての強調を使用して記述されているかもしれないが、同様に、デュアルコネクティビティのフレームワークも使用可能である。
【００８７】
上述の例示的実施形態は、使用するための通信事業者に特定のディスカバリーシグナルシーケンスを決定することを内容として、説明されてきた。しかし、当該原理は、たとえば、免許不要なスペクトラムで動作するときにセル内でのＬＢＴ時刻など、通信事業者間で異なっているべきである他のパラメータを決定するときに使用されてもよい。
【００８８】
同期したネットワークにおけるセル間での、通信事業者に特有のＬＢＴ期間は、リスニング時刻とＰＬＭＮ  ＩＤとをリンクすることで達成されてもよく、また、このケースでは、潜在的なＰＬＭＮ  ＩＤの数が大きいため、ひも付（リンク）が複雑になってしまうかもしれない。さらに、特有のＰＬＭＮ  ＩＤを有する通信事業者は、同一の通信事業者に所属しているノード間でのＬＢＴ時刻のオーバーラップを望んでもよいし、望まなくてもよく、そのようなケースではＰＬＭＮ  ＩＤのひも付は望ましくないだろう。
【００８９】
上述した実施形態を用いれば、以下のような利点が得られる。
【００９０】
免許不要なスペクトラムにおいてディスカバリーシグナルを提供し、免許不要なスペクトラムにおけるディスカバリーシグナルが、無線デバイスの通信事業者に関連付けられているかどうかを無線デバイスが判定できるようになる。よって、例示的実施形態は、同一の免許不要なスペクトラムを使用している異なる通信事業者に、異なるディスカバリーシグナルを提供する。免許不要なスペクトラムへのライセンスアシステッドアクセスが実現される。
【００９１】
上述した実施形態は例示を提供するだけのものにすぎず、例示的実施形態へ限定すべきものではなく、なぜなら、他の解決手段、用途、目的、および、機能が、添付の特許請求の範囲における請求項に記載された実施形態の範囲に含まれることは明らかだからである。
【００９２】
略語
３ＧＰＰ…第３世代パートナーシッププロジェクト
ＣｏＭＰ…マルチポイント協調送受信
（Ｅ）ＰＤＣＣＨ…（強化型）物理ダウンリンク制御チャネル
ＩＤ…アイデンティティ（識別情報）
ＬＢＴ…リッスン・ビフォア・トーク
ＬＴＥ…ロングタームエヴォリューション
Ｏ＆Ｍ…運用及びメンテナンス
ＯＦＤＭ…直交周波数分割多重
ＰＣｅｌｌ…プライマリーセル
ＰＬＭＮ…公衆地上移動ネットワーク
ＰＳＳ…プライマリー同期信号
ＰＵＣＣＨ…物理アップリング制御チャネル
ＳＣｅｌｌ…セカンダリーセル
ＳＳＳ…セカンダリー同期信号
ＵＥ…ユーザ装置
【図１】
0006275262.tif 000003
【図２】
0006275262.tif 000004
【図３】
0006275262.tif 000005
【図４】
0006275262.tif 000006
【図５】
0006275262.tif 000007
【図６】
0006275262.tif 000008
【図７】
0006275262.tif 000009
【図８】
0006275262.tif 000010
【図９】
0006275262.tif 000011
【図１０】
0006275262.tif 000012